(57)【特許請求の範囲】
【請求項１】
座部又は脚部から立ち上がった支持部に対して肘掛け部が高さ調節可能な椅子の肘掛け装置であって、前記支持部は支持アームの上端部に高さ調節機構を介して上下動可能に筒状の昇降体を外装し、該昇降体の上端部に肘掛け部を連結してなり、該昇降体は下部を筒状に形成するとともに、上部の左側又は右側半分に切欠部を形成した本体部材と、前記切欠部に嵌合するカバー部材とより構成し、前記本体部材の切欠部の下縁に、前記カバー部材の下端に段状に形成した突縁を内嵌し且つ前記切欠部の両側切欠縁とカバー部材の両側縁同士を接合するとともに、前記本体部材とカバー部材の上部同士を連結してなることを特徴とする椅子の肘掛け装置。
【請求項２】
前記昇降体を構成する本体部材とカバー部材のそれぞれ上端後部に、前記肘掛け部を上下角度調節可能に枢着するための軸受部を形成し、両軸受部に支軸を挿通し且つ肘掛け部を枢着することによって、該本体部材とカバー部材の上部同士を連結してなる請求項１記載の椅子の肘掛け装置。
【請求項３】
前記本体部材の切欠部の両側切欠縁と、前記カバー部材の両側縁とに凹凸嵌合する嵌合部を形成してなる請求項１又は２記載の椅子の肘掛け装置。
【発明の詳細な説明】
【０００１】
【発明の属する技術分野】
本発明は、椅子の肘掛け装置に係わり、更に詳しくは肘掛け部が高さ調節可能な椅子の肘掛け装置に関する。
【０００２】
【従来の技術】
従来、椅子の座部又は脚部から立ち上がった支持部に対して肘掛け部が高さ調節可能なものは既に提供されている。通常、前記支持部は支持アームの上端部に高さ調節機構を介して上下動可能に筒状の昇降体を外装し、該昇降体の上端部に肘掛け部を連結した構造となっている。
【０００３】
ここで、前記昇降体は、合成樹脂製で作成されているが、内部に高さ調節機構を組み込むため、その組付け作業性を考慮すれば単純な筒状として成形することはできない。また、昇降体は、左右方向のねじれに対して弱いと、その内部に設けた高さ調節機構の機構部や摺動部の位置関係がずれて上下に動かなくなる。
【０００４】
そのため、前記昇降体として、左右に二つ割りに成形するとともに、二つ割り部材の接合縁を凹凸嵌合構造とし、更に二つ割り部材を接合した状態で下端部をリング状の保持部材に内嵌し、上部をネジ止め等の適宜連結手段で連結した構造が採用されている。しかし、この構造では部品が３点必要であり、組立てに手間がかかるばかりでなく、前述のねじれの問題については抜本的な解決策とはなっていない。
【０００５】
【発明が解決しようとする課題】
本発明が前述の状況に鑑み、解決しようとするところは、座部又は脚部から立ち上がった支持アームの上端部に、高さ調節機構を介して上下動可能に筒状の昇降体を外装し、該昇降体の上端部に肘掛け部を連結し、肘掛け部が高さ調節可能な椅子の肘掛け装置において、前記昇降体を高さ調節機構の組付け作業性に優れた分割構造とし、しかも最小限の部品点数で左右方向のねじれに対しても強度が高い構造としてなる椅子の肘掛け装置を提供する点にある。
【０００６】
【課題を解決するための手段】
本発明は、前述の課題解決のために、座部又は脚部から立ち上がった支持部に対して肘掛け部が高さ調節可能な椅子の肘掛け装置であって、前記支持部は支持アームの上端部に高さ調節機構を介して上下動可能に筒状の昇降体を外装し、該昇降体の上端部に肘掛け部を連結してなり、該昇降体は下部を筒状に形成するとともに、上部の左側又は右側半分に切欠部を形成した本体部材と、前記切欠部に嵌合するカバー部材とより構成し、前記本体部材の切欠部の下縁に、前記カバー部材の下端に段状に形成した突縁を内嵌し且つ前記切欠部の両側切欠縁とカバー部材の両側縁同士を接合するとともに、前記本体部材とカバー部材の上部同士を連結してなる椅子の肘掛け装置を構成した。
【０００７】
ここで、前記昇降体を構成する本体部材とカバー部材のそれぞれ上端後部に、前記肘掛け部を上下角度調節可能に枢着するための軸受部を形成し、両軸受部に支軸を挿通し且つ肘掛け部を枢着することによって、該本体部材とカバー部材の上部同士を連結してなることが好ましく、また前記本体部材の切欠部の両側切欠縁と、前記カバー部材の両側縁とに凹凸嵌合する嵌合部を形成してなることも好ましい。
【０００８】
【発明の実施の形態】
次に本発明の実施形態を添付図面に基づき更に詳細に説明する。図１は本発明に係る椅子を示し、図２〜図５は各部の詳細を示し、図中符号１は椅子の脚部、２は座部、３は背凭れ部、４は肘掛け装置、５は支持部、６は肘掛け部をそれぞれ示している。
【０００９】
本発明の実施形態に係る肘掛け装置４は、座部２又は脚部１から立ち上がった支持部５に対して肘掛け部６を高さ調節可能且つ上下角度調節可能及び左右横移動、左右角度調節可能に設けたものである。しかし、本発明に係る肘掛け装置４は、高さ調節可能な支持部５における構造が特徴となるので、肘掛け部６が上下角度調節可能及び左右横移動、左右角度調節可能であるかどうかは本質的ではない。
【００１０】
前記支持部５は、支持アーム７と昇降体８とより構成し、座部２に固定した支持アーム７の上部に、肘掛け部６に取付けた上下に開放した中空筒状の昇降体８を上下移動可能に外嵌した構造を有する。そして、前記支持アーム７と昇降体８との間には、支持アーム７に対して昇降体８の高さを調節し且つその高さを維持するための高さ調節機構が設けられている。
【００１１】
本発明に係る椅子の肘掛け装置は、座部２から立ち上がった支持部５に対して肘掛け部６が高さ調節可能な椅子の肘掛け装置であって、前記支持部５は支持アーム７の上端部に高さ調節機構９を介して上下動可能に筒状の昇降体８を外装し、該昇降体８の上端部に肘掛け部６を連結した基本構成を採用ている。そして、前記昇降体８は本体部材１０とカバー部材１１とより構成し、該本体部材１０は下部を筒状に形成するとともに、上部の左側又は右側半分に切欠部１２を形成したものであり、前記カバー部材１１は前記切欠部１２に嵌合するものであり、本体部材１０の切欠部１２にカバー部材１１を接合した状態の昇降体８は、全体が筒状となる。また、前記本体部材１０の切欠部１２の下縁に嵌合受部１３を形成し、該嵌合受部１３に前記カバー部材１１の下端に段状に形成した突縁１４を内嵌し且つ前記切欠部１２の両側切欠縁１５，１５とカバー部材１１の両側縁１６，１６同士を接合するとともに、前記本体部材１０とカバー部材１１の上部同士を連結している。尚、本体部材１０の切欠部１２は、椅子を正面から見て内側（座部２の側）に設け、この内側部分にカバー部材１１を接合することが外観上好ましいが、外側に設けることも何ら制限されない。
【００１２】
更に、前記本体部材１０の両側切欠縁１５，１５と、前記カバー部材１１の両側縁１６とに凹凸嵌合する嵌合部１７を形成している。この嵌合部１７，１７は、互いに嵌合する段形状又は一方が突条で他方が凹溝からなる形状である。また、前記昇降体８を構成する本体部材１０とカバー部材１１のそれぞれ上端後部に、前記肘掛け部６を上下角度調節可能に枢着するための軸受部１８，１９を形成し、両軸受部１８，１９に後述の支軸２０を挿通し且つ肘掛け部６を枢着することによって、該本体部材１０とカバー部材１１の上部同士を連結している。尚、本体部材１０とカバー部材１１の上部同士をネジ止めによって固定することも可能である。
【００１３】
次に、高さ調節機構を図２〜図５に基づいて簡単に説明する。高さ調節機構は、前記支持アーム７の本体部７Ａの上端部に延設した支持板７Ｂの中央部に沿って縦孔２１を形成し且つ該縦孔２１の前縁に一定間隔毎に係合凹部２２，…を形成し、前記昇降体８の内部であって前記本体部材１０に中央部を枢着した操作杆２３を上下に配設するとともに、該操作杆２３の下端部に突設した係合ピン２４が前記係合凹部２２に係合する回転方向にキックばね２５にて該操作杆２３を弾性付勢し、更に前記支持板７Ｂの上端部と昇降体８の内部間に介在させた引張りコイルばね２６にて該昇降体８を上方へ弾性付勢し、前記操作杆２３の上部を前方へ移動させて係合凹部２２と係合ピン２４の係合を解除し、前記引張りコイルばね２６の弾性力によって上昇又は引張りコイルばね２６の弾性力に抗して下降させ、昇降体８の上部に取付けた肘掛け部６を所定の高さに調節するものである。
【００１４】
更に詳しくは、前記支持アーム７は、合成樹脂製の本体部７Ａの上端面に開口したスリット孔２７に金属製の前記支持板７Ｂを嵌挿し、側方からネジ止め固定した構造であるが、本体部７Ａと支持板７Ｂとをインサート成形によって一体成形しても良い。また、前記支持アーム７の本体部７Ａには、前記スリット孔２７の後方に並んで前記引張りコイルばね２６の収容孔２８を形成している。前記操作杆２３は、前記本体部材１０の内部に突設した円柱状の突台２９に中央部をネジ軸３０によって回動可能に取付け、該突台２９にコイル部２５Ａを巻回した前記キックばね２５の一方の弾片２５Ｂを本体部材１０の内部に当止し且つ他方の弾片２５Ｃを前記操作杆２３の上部に係止して取付けている。そして、前記操作杆２３の下端部に設けた係合ピン２４は、該操作杆２３を貫通し、その突出部分は本体部材１０の側が短く、カバー部材１１の側が長くなるように設定し、長い部分を前記支持板７Ｂの縦孔２１又は係合凹部２２を貫通させ、両端部をそれぞれ本体部材１０とカバー部材１１の内壁部に嵌着した支持部材３１のガイド溝３２内に遊嵌し、操作杆２３の回動に伴って係合ピン２４がガイド溝３２に沿って移動できるようになっている。また、前記引張りコイルばね２６は、昇降体８内に上下方向に配設し、上方のフック部２６Ａは前記支持板７Ｂの上端後部に延設した係止部３２に係止し、下方のフック部２６Ｂは本体部材１０の内部に上端を嵌着した引上金具３３の下端係止部３４に係止し、該引上金具３３の下部は前記支持アーム７の収容孔２８に挿入できるようになっている。
【００１５】
次に、肘掛け部６の上下角度調節機構は、図２〜図５に示すように、前記昇降体８の上端の軸受部１８，１９に、肘掛け部６内に固定し若しくは横移動及び／又は水平回転可能に取付けた傾動部材３５を水平な支軸２０にて上下傾動可能に連結するとともに、該傾動部材３５内に沿って前後スライド移動可能にスライド操作部材３６を設け、前記肘掛け部６の前部に操作レバー３７を上下傾動可能に取付けてその操作部３８を下面に露出させるとともに、該操作レバー３７の回転軸３９から偏心した位置に該回転軸３９と平行に設けた係止バー４０に、前記スライド操作部材３６の前端の「く」の字状係止片４１を係止し、前記傾動部材３５の前部両側面に支軸２０を中心とした円弧溝４２の後縁上下に複数の係合凹部４３，…を形成し、前記スライド操作部材３６の前部両側面に前記円弧溝４２と同様な形状の円弧溝４４を形成し、更に前記昇降体８の上端前部に上方へ突設した保持部材４５の上端部に水平な長孔４６を形成し、前記傾動部材３５、スライド操作部材３６、保持部材４５を順次入れ子状に重ねた状態で、係合ピン４７を円弧溝４２若しくは係合凹部４３と円弧溝４４、長孔４６に同時に貫通させて装着し、前記係合ピン４７が係合凹部４３に係合するように前記スライド操作部材３６を後方へ弾性付勢してなるものである。ここで、前記スライド操作部材３６内の中央部に操作ピン４８を渡設し、前記操作杆２３の上端部の円弧状スリット溝４９に該操作ピン４８を係合することによって、前記操作レバー３７の回動操作によって、スライド操作部材３６を前後方向へ移動させ、その動作に伴って前記操作杆２３をネジ軸３０を中心に回動できるようになっている。それにより、前記キックばね２５の弾性力によってスライド操作部材３６を後方へ弾性付勢することになる。また、前記傾動部材３５及びスライド操作部材３６は昇降体８に取付けられ、前記操作レバー３７は肘掛け部６のカバーに取付けられているので、昇降体８に対して肘掛け部６を左右移動又は水平回転できるようにした場合、スライド操作部材３６の係止片４１と操作レバー３７の係止バー４０も左右方向の相対的変位を許容しなければならない。そのため、前記係止バー４０の長さは係止片４１の横幅よりも十分に長く設定している。
【００１６】
更に詳しくは、前記傾動部材３５は、金属板を折曲形成したものであり、上面板３５Ａの両側縁に側面板３５Ｂ，３５Ｂを垂下した断面略コ字形の部材であり、前記側面板３５Ｂの前部が下方へ拡がった形状となっており、この前部に前記円弧溝４２及び係合凹部４３，…を形成している。そして、前記側面板３５Ｂ，３５Ｂの後部には、前記支軸２０を挿通するための軸孔５０，５０を形成している。また、前記スライド操作部材３６は、傾動部材３５の両側面板３５Ｂ，３５Ｂ間に遊嵌できる横幅を有し、傾動部材３５よりも前後長さを長く設定して金属板を折曲形成したものであり、上面板３６Ａの両側縁に側面板３６Ｂ，３６Ｂを垂下した断面略コ字形の部材であり、前記側面板３６Ｂの中間部が下方へ拡がった形状となっており、この部分に前記円弧溝４４を形成している。そして、前記側面板３６Ｂ，３６Ｂの後部に前後方向に延びた長軸孔５１を形成し、前記支軸２０を挿通できるようになっている。また、前記係止バー４０は、スライド操作部材３６の前後中央部の両側面板３６Ｂ，３６Ｂに渡設している。そして、前記傾動部材３５の前後端部に四角筒状のスライド部材５２，５２を嵌着し、該傾動部材３５の内側に配設したスライド操作部材３６の前後部を両スライド部材５２，５２の内部を貫通させて前後スライド可能に保持している。
【００１７】
前記肘掛け部６は、合成樹脂製で作成した上部カバー部材５３と下部カバー部材５４を接合し、内部を中空となしたものであり、前記上部カバー部材５３の内部には、前記傾動部材３５をその前後端部に嵌着したスライド部材５２，５２を幅金具（図示せず）で押さえることで横移動可能及び回転可能に取付けるとともに、下部カバー部材５４には、前記昇降体８を受け入れる開口５５と前記操作レバー３７の操作部３８を露出させる操作孔５６を形成している。また、前記操作レバー３７の回転軸３９は、図３に示すように軸受金具５７，５７を用いて上部カバー部材５３の内部に取付けている。
【００１８】
また、前記本体部材１０とカバー部材１１で構成された昇降体８の下部には、前記支持アーム７の本体部７Ａを遊挿できる空間部５８が隔壁５９で区画されて形成されており、該隔壁５９より上方には前記支持板７Ｂの前後縁を摺接する案内壁６０，６０が形成されている。そして、前記本体部材１０とカバー部材１１の上端部には、前記傾動部材３５とスライド操作部材３６の各側面板３５Ｂ，３６Ｂを収容できる切欠部６１，６２をそれぞれ形成している。また、前記本体部材１０とカバー部材１１の軸受部１８，１９は、接合した状態で前記スライド操作部材３６の両側面板３６Ｂ，３６Ｂ間に位置し、その軸孔６３，６４に支軸２０を挿通してスライド操作部材３６及び傾動部材３５と連結した状態では、接合状態を維持できるように両側面板３６Ｂ，３６Ｂの間隔に対して厚みは設定されている。
【００１９】
尚、前記キックばね２５の代わりに他の弾性体を用いることも可能であり、例えば肘掛け部６の内部にスライド操作部材３６を後方へ弾性付勢する引張りコイルばねを配設しても良い。また、前記操作レバー３７を係止片４１と係止バー４０とが常に接触した状態を維持する方向に弾性付勢することも好ましい。
【００２０】
そして、前記肘掛け部６の高さ及び上下角度を調節する場合には、前記操作レバー３７の操作部３８を操作孔５６内に押し込めば、前記係止バー４０が前方へ変位して係止片４１を引くことによって、前記スライド操作部材３６が前方へ変位する。それに伴って操作ピン４８を介して操作杆２３がネジ軸３０の回りに回転し、係合ピン２４が支持板７Ｂの係合凹部２２から外れて縦孔２１内に位置し、その状態で肘掛け部６を上下方向に移動させることが可能となる。それと同時に、前記スライド操作部材３６の円弧溝４４と保持部材４５の長孔４６の交叉部分に保持された係合ピン４７が、傾動部材３５の係合凹部４３から外れて円弧溝４２内に位置し、その状態で傾動部材３５、即ち肘掛け部６が支軸２０を中心に上下方向に回転させることが可能となる。そこで、肘掛け部６を所望の高さ及び角度に維持した状態で操作部３８から指を離すと、キックばね２５の弾性付勢力によって操作杆２３が元に位置まで回転復帰し、もって係合ピン２４が所定の係合凹部２２に係合すると同時に、係合ピン４７が所定の係合凹部４３に係合し、設定高さお呼び角度が固定されるのである。尚、昇降体８に対する肘掛け部６の横方向の位置及び水平回転角度は、前述の操作とは関係なく調節することが可能である。
【００２１】
次に、図６〜図８に基づいて、操作レバー３７とスライド操作部材３６の連係構造の他の例を説明する。この例の操作レバー３７は、両側部に突条６５，６５を形成し、後部に横長の係合孔６６を形成したものであり、前記突条６５，６５をそれぞれ前後スライド可能に断面略Ｌ字形のガイド部材６７，６７で前記上部カバー部材５３の内部に取付け、その操作部３８を操作孔５６から下方へ露出させている。そして、前記スライド操作部材３６の前端部に下方へ折曲したＬ字形の係止片４１を設け、該係止片４１を前記操作レバー３７の係合孔６６内に上方から挿入した構造となっている。尚、前記ガイド部材６７，６７は、上部カバー部材５３に一体形成しても良く、また上部カバー部材５３に下部カバー部材５４を接合した際に両部材間に突条６５，６５を挟み込んでスライド可能な構造としても良い。ここで、前記同様にスライド操作部材３６に対して肘掛け部６の上部カバー部材５３は横移動又は水平回転して相対的に変位するので、その変位を許容できるように前記係合孔６６の横幅は係止片４１の横幅より十分長く設定している。その他の構成は前記同様であるので、同一構成には同一符号を付してその説明は省略する。
【００２２】
【発明の効果】
以上にしてなる本発明の椅子の肘掛け装置は、座部又は脚部から立ち上がった支持アームの上端部に、高さ調節機構を介して上下動可能に筒状の昇降体を外装し、該昇降体の上端部に肘掛け部を連結し、肘掛け部が高さ調節可能な椅子の肘掛け装置において、前記昇降体を、下部を筒状に形成するとともに、上部の左側又は右側半分に切欠部を形成した本体部材と、前記切欠部に嵌合するカバー部材とより構成したことにより、高さ調節機構の組付け作業性に優れるとともに、最小限の部品点数で左右方向のねじれに対しても強度が高い構造が実現でき、高さ調節に対して安定する。
【図面の簡単な説明】
【図１】本発明の肘掛け装置を適用した椅子の側面図である。
【図２】同じく本発明の肘掛け装置の要部と高さ調節機構を示す分解斜視図である。
【図３】同じく肘掛け部の上下角度調節機構を示す分解斜視図である。
【図４】組立てた状態の部分縦断面図である。
【図５】肘掛け部の高さと上下角度を変化させた場合に部分縦断面図である。
【図６】操作レバーとスライド操作部材の他の連係構造を示す分解斜視図である。
【図７】同じく組立てた状態の部分縦断面図である。
【図８】同じく肘掛け部の高さと上下角度を変化させた場合に部分縦断面図である。
【符号の説明】
１  脚部                  ２  座部
３  背凭れ部              ４  肘掛け装置
５  支持部                ６  肘掛け部
７  支持アーム            ７Ａ  本体部
７Ｂ  支持板              ８  昇降体
９  高さ調節機構          １０  本体部材
１１  カバー部材          １２  切欠部
１３  嵌合受部            １４  突縁
１５  切欠縁              １６  側縁
１７  嵌合部              １８  軸受部
１９  軸受部              ２０  支軸
２１  縦孔                ２２  係合凹部
２３  操作杆              ２４  係合ピン
２５  キックばね          ２６  引張りコイルばね
２７  スリット孔          ２８  収容孔
２９  突台                ３０  ネジ軸
３１  支持部材            ３１Ａ  ガイド溝
３２  係止部              ３３  引上金具
３４  係止部              ３５  傾動部材
３６  スライド操作部材    ３７  操作レバー
３８  操作部              ３９  回転軸
４０  係止バー            ４１  係止片
４２  円弧溝              ４３  係合凹部
４４  円弧溝              ４５  保持部材
４６  長孔                ４７  係合ピン
４８  操作ピン            ４９  スリット溝
５０  軸孔                ５１  長軸孔
５２  スライド部材        ５３  上部カバー部材
５４  下部カバー部材      ５５  開口
５６  操作孔              ５７  軸受金具
５８  空間部              ５９  隔壁
６０  案内壁              ６１  切欠部
６２  切欠部              ６３  軸孔
６４  軸孔                ６５  突条
６６  係合孔              ６７  ガイド部材
【図１】
0003661406.tif 000002
【図２】
0003661406.tif 000003
【図３】
0003661406.tif 000004
【図４】
0003661406.tif 000005
【図５】
0003661406.tif 000006
【図６】
0003661406.tif 000007
【図７】
0003661406.tif 000008
【図８】
0003661406.tif 000009